(57)【要約】【課題】分光光学系を気密に収容する封止領域を含む筐体を備える光信号処理装置において、封止領域の気圧を容易に調整する。【解決手段】光信号処理装置１Ａは、光通信システムに用いられる。光信号処理装置１Ａは、分光光学系１０と、筐体２０Ａとを備える。分光光学系１０は、互いに波長が異なる複数の信号成分を含む光信号を受け、各信号成分をそれぞれ異なる方向に出射することにより、複数の信号成分を分光する。筐体２０Ａは、気密に封止されており分光光学系１０を収容する封止領域２１を有する。筐体２０Ａは、封止領域２１の体積を封止領域２１の外部から変化させる体積変化機構２４を更に有する。【選択図】図１
2014071413.tif 000002
【特許請求の範囲】
【請求項１】
光通信システムに用いられる光信号処理装置であって、
互いに波長が異なる複数の信号成分を含む光信号を受け、各信号成分をそれぞれ異なる方向に出射することにより前記複数の信号成分を分光する分光光学系と、
気密に封止されており前記分光光学系を収容する封止領域を有する筐体と
を備え、
前記筐体は、前記封止領域の内部の気圧を前記封止領域の外部から変化させる内圧変化機構を更に有することを特徴とする、光信号処理装置。
【請求項２】
前記内圧変化機構は、前記封止領域の体積を前記封止領域の外部から変化させる体積変化機構であることを特徴とする、請求項１に記載の光信号処理装置。
【請求項３】
前記筐体が、前記封止領域を画定する内側筐体を有しており、
前記体積変化機構が、前記内側筐体の外面を前記内側筐体の内側へ向けて押し込む機構を含み、該機構の押し込み量を変化させることにより前記封止領域の体積を変化させることを特徴とする、請求項２に記載の光信号処理装置。
【請求項４】
前記筐体が、前記封止領域を内部に含む外側筐体を有しており、
前記体積変化機構が、前記外側筐体の内部において前記封止領域とは別に画成された体積可変領域と、前記外側筐体の外面から前記体積可変領域へ貫通する空気調整口とを有し、前記空気調整口を通じて前記体積可変領域の体積を変化させることにより前記封止領域の体積を変化させることを特徴とする、請求項２に記載の光信号処理装置。
【請求項５】
前記空気調整口が複数箇所に設けられていることを特徴とする、請求項４に記載の光信号処理装置。
【発明の詳細な説明】
【技術分野】
【０００１】
本発明は、光信号処理装置に関するものである。
【背景技術】
【０００２】
特許文献１には、光信号を分光して異なる波長の複数の光信号に分離し、各波長の光信号に対して信号処理を行う光信号調整装置が開示されている。この装置は、波長が互いに異なる複数の光信号を、その波長に応じた出射角度で反射する分光素子と、該分光素子から出射された光信号を伝搬するレンズ等の光学系とを有する。
【先行技術文献】
【特許文献】
【０００３】
【特許文献１】特開２００９−１７５６３３号公報
【発明の概要】
【発明が解決しようとする課題】
【０００４】
波長分割多重方式（ＷＤＭ；Wavelength Division Multiplex）の光通信の分野において、例えば波長選択スイッチ（ＷＳＳ；wavelength selective switch）やＲＯＡＤＭ（reconfigurable optical add drop multiplexer）といった光信号処理装置が知られている。これらは、波長が互いに異なる複数の信号成分を含む光信号を受けて該光信号を各信号成分に分光して出力するために、例えば回折格子を有する分光素子と、分光された各信号成分をそれぞれ異なる方向へ反射する光偏向素子（例えばＭＥＭＳ（Micro Electro Mechanical Systems）ミラーやＬＣＯＳ（Liquid crystal on silicon）など）とを備えている。
【０００５】
上述した分光素子及び光偏向素子を含む分光光学系では、複数の信号成分を含む光信号と、その光信号から分光された各信号成分とが、空間を伝搬する。したがって、分光光学系が収容される空間の気体の組成が変化し、それによって気体の屈折率が変動すると、この分光光学系により分光される光の波長も変動してしまう。このため、分光光学系を収容する筐体内部は封止気体（例えば窒素、ヘリウム、アルゴン等の不活性ガス）で満たされ、その筐体は気密に封止される。
【０００６】
しかしながら、筐体内部に封止気体を封止したのち長時間が経過すると、例えば筐体の接合部分等から封止気体が漏れることによって、筐体内部の気圧が変化することがある。筐体内部の気圧が変化すると封止気体の屈折率も変化するので、そのような場合には筐体の封止状態を一旦解き、筐体内部の気圧を再調整する必要が生じる。そして、筐体の封止状態を一旦解くと、筐体内部を再び封止気体で満たす必要があるので、作業が大掛かりとなる。
【０００７】
本発明は、このような問題点に鑑みてなされたものであり、分光光学系を気密に収容する封止領域を含む筐体を備え、封止領域の気圧を容易に調整することができる光信号処理装置を提供することを目的とする。
【課題を解決するための手段】
【０００８】
上述した課題を解決するために、本発明による光信号処理装置は、光通信システムに用いられる光信号処理装置であって、互いに波長が異なる複数の信号成分を含む光信号を受け、各信号成分をそれぞれ異なる方向に出射することにより複数の信号成分を分光する分光光学系と、気密に封止されており分光光学系を収容する封止領域を有する筐体とを備え、筐体は、封止領域の内部の気圧を封止領域の外部から変化させる内圧変化機構を更に有することを特徴とする。また、この内圧変化機構は、封止領域の体積を封止領域の外部から変化させる体積変化機構であることが好ましい。
【０００９】
この光信号処理装置では、筐体が内圧変化機構を有しており、内圧変化機構は、分光光学系を収容する封止領域の内部の気圧を封止領域の外部から変化させる。これにより、封止領域の気圧を容易に調整することができる。
【００１０】
また、光信号処理装置は、筐体が、封止領域を画定する内側筐体を有しており、体積変化機構が、内側筐体の外面を内側筐体の内側へ向けて押し込む機構を含み、該機構の押し込み量を変化させることにより封止領域の体積を変化させることを特徴としてもよい。体積変化機構がこのような構成を有することによって、封止領域の体積を、封止領域の外部から好適に変化させることができる。また、光信号処理装置では、十分な気密性を得るために封止気体の注入口がはんだや溶接によって封じられる場合がある。そのような場合、その封止状態を解く作業は困難を伴う。これに対し、体積変化機構が上記の構成を有することにより、はんだや溶接による封止状態を解く必要がないので、封止領域の気圧を極めて容易に調整することができる。また、封止気体の注入口のはんだや溶接を気圧調整のたびに繰り返すことで注入口の気密性が次第に低下するので、筐体内部の気圧の調整回数にも制限が生じてしまうが、体積変化機構が上記の構成を有することにより、気圧調整毎の注入口のはんだや溶接が必要ないので、気圧調整の回数を多くすることができる。
【００１１】
また、光信号処理装置は、筐体が、封止領域を内部に含む外側筐体を有しており、体積変化機構が、外側筐体の内部において封止領域とは別に画成された体積可変領域と、外側筐体の外面から体積可変領域へ貫通する空気調整口とを有し、空気調整口を通じて体積可変領域の体積を変化させることにより封止領域の体積を変化させることを特徴としてもよい。体積変化機構がこのような構成を有することによって、封止領域の体積を、封止領域の外部から好適に変化させることができる。また、この場合、空気調整口は複数箇所に設けられていることが好ましい。上述したように、空気調整口の封止が例えばはんだや溶接によって行われる場合、気圧調整のたびにはんだや溶接を繰り返すことで空気調整口の気密性が次第に低下するので、気圧の調整回数に制限が生じてしまう。これに対し、空気調整口が複数箇所に設けられることにより、上記の制限回数に空気調整口の数を乗じた回数だけ気圧の調整を行うことができるので、気圧調整の回数を多くすることができる。
【発明の効果】
【００１２】
本発明によれば、分光光学系を気密に収容する封止領域を含む筐体を備える光信号処理装置において、封止領域の気圧を容易に調整することができる。
【図面の簡単な説明】
【００１３】
【図１】図１（ａ）は、第１実施形態に係る光信号処理装置の構成を示す斜視図である。図１（ｂ）は、図１（ａ）に示された光信号処理装置のＩ−Ｉ線に沿った側断面図である。
【図２】図２（ａ）〜図２（ｃ）は、光信号処理装置の体積変化機構付近の部分を拡大して示す断面図であって、ネジが内側筐体の側面を押し込む際の種々の押し込み量の例を示している。
【図３】図３は、分光光学系の構成例を示す平面図であって、内側筐体の内部（封止領域）の構造を示している。
【図４】図４（ａ）は、第１実施形態の一変形例に係る光信号処理装置の構成を示す斜視図である。図４（ｂ）は、図４（ａ）に示された光信号処理装置のIV−IV線に沿った側断面図である。
【図５】図５（ａ）〜図５（ｃ）は、光信号処理装置を示す断面図であって、ネジが内側筐体の上面を押し込む際の種々の押し込み量の例を示している。
【図６】図６（ａ）は、本発明の第２実施形態に係る光信号処理装置の構成を示す斜視図である。図６（ｂ）は、図６（ａ）に示された光信号処理装置のVI−VI線に沿った側断面図である。
【図７】図７（ａ）〜図７（ｃ）は、光信号処理装置の体積変化機構付近の部分を拡大して示す断面図であって、容器の容積（すなわち体積可変領域の体積）が変化する際の種々の変化量の例を示している。
【発明を実施するための形態】
【００１４】
以下、添付図面を参照しながら本発明による光信号処理装置の実施の形態を詳細に説明する。なお、図面の説明において同一の要素には同一の符号を付し、重複する説明を省略する。
【００１５】
（第１の実施の形態）
図１（ａ）は、本発明の第１実施形態に係る光信号処理装置１Ａの構成を示す斜視図である。図１（ｂ）は、図１（ａ）に示された光信号処理装置１ＡのＩ−Ｉ線に沿った側断面図である。本実施形態の光信号処理装置１Ａは、複数の波長の光信号を多重化して送受信を行う光通信システムに用いられる装置であって、互いに波長が異なる複数の信号成分を含む光信号を入力し、各信号成分を分離して出力する。一例では、光信号処理装置１Ａは、ＷＳＳ、ＲＯＡＤＭ、波長ブロッカ、可変分散補償器等である。図１（ａ）及び図１（ｂ）に示されるように、光信号処理装置１Ａは、分光光学系１０と、分光光学系１０を収容する筐体２０Ａとを備えている。
【００１６】
分光光学系１０は、複数の信号成分を含む光信号を各信号成分に分光する光学系である。本実施形態の分光光学系１０は、回折格子を有し光信号を各信号成分に分光する分光素子と、例えばＭＥＭＳミラーやＬＣＯＳといった光偏向素子とを有しており、各信号成分をそれぞれ異なる方向に出射することによって、光信号を分光する。なお、分光光学系１０の詳細な構成例については後述する。
【００１７】
筐体２０Ａは、分光光学系１０を収容する封止領域２１を有する。封止領域２１は気密に封止されており、例えば窒素、クリプトン、ヘリウム又はアルゴンといった不活性ガスからなる封入気体が封入されている。封入気体としては、温度変化に対する体積変化が小さい気体が望ましい。
【００１８】
本実施形態の筐体２０Ａは、封止領域２１を画定する内側筐体２２と、内側筐体２２を収容する外側筐体２３とを有している。内側筐体２２は、その内部領域である封止領域２１を気密に封止するための密閉構造を有しており、例えば直方体状といった外形を呈している。外側筐体２３は、内側筐体２２に対する外力を防ぐために高い機械的強度を有する筐体であって、内側筐体２２と同様に、例えば直方体状といった外形を呈している。
【００１９】
なお、内側筐体２２は例えばアルミニウムやステンレスといった材料から成ることが好ましく、外側筐体２３は例えばアルミニウムやステンレスといった材料から成ることが好ましい。また、内側筐体２２の大きさは例えば縦１２５ｍｍ、横１１０ｍｍ、高さ３０ｍｍであり、外側筐体２３の大きさは例えば縦１３５ｍｍ、横１２０ｍｍ、高さ４０ｍｍである。また、内側筐体２２の好適な厚さは１〜２ｍｍであり、外側筐体２３の好適な厚さは３ｍｍである。
【００２０】
また、筐体２０Ａは、封止領域２１の内部の気圧を封止領域２１の外部から変化させる内圧変化機構２４を更に有する。本実施形態の内圧変化機構２４は、封止領域２１の体積を封止領域２１の外部から変化させる体積変化機構２４である。体積変化機構２４は、内側筐体２２の外面を内側筐体２２の内側へ向けて押し込む機構を含んでおり、その押し込み量を変化させることにより封止領域２１の体積を変化させ、ひいては封止領域２１の気圧を変化させる。
【００２１】
具体的には、本実施形態の筐体２０Ａは、体積変化機構２４として、外側筐体２３の側壁２３ａに取り付けられたネジ２８を有する。ネジ２８は、外側筐体２３の側壁２３ａを貫通するネジ孔に螺合されており、その先端部は内側筐体２２の側面２２ａに当接している。そして、ネジ２８が回されることによりネジ２８が外側筐体２３の内側へ向けて移動すると、ネジ２８の先端部が内側筐体２２の側面２２ａを内側筐体２２の内側へ向けて押し込む。
【００２２】
図２（ａ）〜図２（ｃ）は、光信号処理装置１Ａの体積変化機構２４付近の部分を拡大して示す断面図であって、ネジ２８が内側筐体２２の側面２２ａを押し込む際の種々の押し込み量の例を示している。図２（ａ）は、ネジ２８が内側筐体２２の側面２２ａを殆ど押し込んでいない状態を表している。図２（ｂ）は、ネジ２８が内側筐体２２の側面２２ａを僅かに押し込んだ状態を表している。図２（ｃ）は、ネジ２８が内側筐体２２の側面２２ａを更に押し込んだ状態を表している。これらのように、体積変化機構２４では、内側筐体２２の側面２２ａに対するネジ２８の押し込み量を調整することによって、封止領域２１の体積を増減させ、封止領域２１の気圧を任意の大きさに調整することができる。
【００２３】
ここで、分光光学系１０の例について詳細に説明する。図３は、分光光学系１０の構成例（ＷＳＳ）を示す平面図であって、内側筐体２２の内部（封止領域２１）の構造を示している。この分光光学系１０では、まず、入力ポート（光ファイバ１１）から光信号Ｌ１が入力される。光信号Ｌ１は、互いに波長が異なる複数の信号成分が重畳された光信号である。なお、光ファイバ１１は、筐体２０Ａに設けられたファイバフィードスルー２５を介して、筐体２０Ａの外部に設けられる光ファイバ（不図示）に接続されている。
【００２４】
入力ポートから入力された光信号Ｌ１は、複数のプリズム１２からなるビーム拡大光学系を通過する。このとき、光信号Ｌ１のビーム径は楕円状に拡大される。その後、光信号Ｌ１は、回折格子を有する分光素子１３に入射する。分光素子１３に入射した光信号Ｌ１は、波長が互いに異なる各信号成分に分離された状態で、分光素子１３から出射する。分光素子１３を通過した各信号成分Ｌ２は、図示しない折り返しミラー等によって光路を調整された後に、集光レンズ１４で集光され、光偏向素子１５の反射面に導かれる。
【００２５】
光偏向素子１５の反射面に入射した各信号成分Ｌ２は、互いに異なる方向に反射され、上述した経路を逆にたどりつつ、それぞれ異なる出力ポート（光ファイバ１１）から出力される。つまり、光偏向素子１５は、入射した各信号成分Ｌ２をそれぞれ異なる出力ポートに向けて出射する。なお、図３では、分光素子１３において分離される複数の信号成分Ｌ２のうち、一の信号成分Ｌ２を代表して示している。光偏向素子１５は、各信号成分Ｌ２のそれぞれに対応して設けられた複数の反射面を有しており、それぞれ独立して光路を切り替えることができる。また、光偏向素子１５は、筐体２０Ａの内部に収容された駆動回路１６によって駆動され、駆動回路１６の動作は、筐体２０Ａの外部に配置された制御部１７からの制御信号によって制御される。駆動回路１６と制御部１７とは、筐体２０Ａに取り付けられた電気フィードスルー２６を介して互いに電気的に接続されている。
【００２６】
なお、光信号処理装置１Ａは、上述した分光光学系１０に加えて、ＲＯＡＤＭ、波長ブロッカ、可変分散補償器等のための構成を適宜備えることができる。
【００２７】
以上の構成を備える光信号処理装置１Ａによって得られる効果について説明する。この光信号処理装置１Ａでは、筐体２０Ａが内圧変化機構としての体積変化機構２４を有しており、体積変化機構２４は、分光光学系１０を収容する封止領域２１の内部の気圧を封止領域２１の外部から変化させるために、封止領域２１の体積を封止領域２１の外部から変化させる。これにより、封止領域２１の封止状態を解くことなく、封止領域２１の気圧の再調整や微調整を容易に行うことができる。
【００２８】
また、本実施形態のように、体積変化機構２４は、内側筐体２２の外面（本実施形態では側面２２ａ）を内側筐体２２の内側へ向けて押し込む機構（例えばネジ２８）を含み、図２に示されたように、その押し込み量を変化させることにより封止領域２１の体積を変化させてもよい。体積変化機構２４がこのような構成を有することによって、封止領域２１の体積を、封止領域２１の外部から好適に変化させることができる。
【００２９】
また、光信号処理装置１Ａでは、十分な気密性を得るために封止気体の注入口がはんだや溶接によって封じられる場合がある。そのような場合、その封止状態を解く作業は困難を伴う。具体的には、注入口が溶接によって封じられている場合には、その封止を解くことは極めて困難である。また、注入口がはんだによって封じられている場合には、筐体の熱容量が大きいためはんだが溶けにくく、はんだを容易に除去できない場合がある。これに対し、体積変化機構２４が上記の構成を有することにより、はんだや溶接による封止状態を解く必要がないので、封止領域２１の気圧を極めて容易に調整することができる。
【００３０】
また、封止気体の注入口の封止を気圧調整のたびに繰り返すと、はんだの酸化等によって注入口の気密性が次第に低下するため、筐体２０Ａ内部の気圧の調整回数に制限が生じてしまう。これに対し、体積変化機構２４が上記の構成を有することにより、気圧調整毎の注入口の封止作業を必要としないので、気圧の調整回数を多くすることができる。更に、注入口のはんだの劣化を抑え、歩留まり及び信頼性を向上させることができる。
【００３１】
（変形例）
図４（ａ）は、第１実施形態の一変形例に係る光信号処理装置１Ｂの構成を示す斜視図である。図４（ｂ）は、図４（ａ）に示された光信号処理装置１ＢのIV−IV線に沿った側断面図である。本変形例の光信号処理装置１Ｂと第１実施形態の光信号処理装置１Ａとの相違点は、筐体の構成である。すなわち、本変形例の光信号処理装置１Ｂは、第１実施形態の筐体２０Ａに代えて、筐体２０Ｂを備えている。
【００３２】
筐体２０Ｂは、第１実施形態と同様に構成された内側筐体２２及び外側筐体２３を有しており、内側筐体２２は封止領域２１を画定している。そして、筐体２０Ｂは、封止領域２１の内部の圧力を封止領域２１の外部から変化させる内圧変化機構として、封止領域２１の体積を封止領域２１の外部から変化させる体積変化機構２７を更に有する。本変形例の体積変化機構２７は、内側筐体２２の外面を内側筐体２２の内側へ向けて押し込む機構を含んでおり、その押し込み量を変化させることにより封止領域２１の体積を変化させ、ひいては封止領域２１の気圧を変化させる。
【００３３】
具体的には、本実施形態の筐体２０Ｂは、体積変化機構２７として、外側筐体２３の天板２３ｂに取り付けられたネジ２９を有する。ネジ２９は、外側筐体２３の天板２３ｂを貫通するネジ孔に螺合されており、その先端部は内側筐体２２の上面２２ｂに当接している。そして、ネジ２９が回されることによりネジ２９が外側筐体２３の内側へ向けて移動すると、ネジ２９の先端部が内側筐体２２の上面２２ｂを内側筐体２２の内側へ向けて押し込む。
【００３４】
図５（ａ）〜図５（ｃ）は、光信号処理装置１Ｂを示す断面図であって、ネジ２９が内側筐体２２の上面２２ｂを押し込む際の種々の押し込み量の例を示している。図５（ａ）は、ネジ２９が内側筐体２２の上面２２ｂを殆ど押し込んでいない状態を表している。図５（ｂ）は、ネジ２９が内側筐体２２の上面２２ｂを僅かに押し込んだ状態を表している。図５（ｃ）は、ネジ２９が内側筐体２２の上面２２ｂを更に押し込んだ状態を表している。これらのように、体積変化機構２７では、内側筐体２２の上面２２ｂに対するネジ２９の押し込み量を任意に変化させることによって、封止領域２１の体積を増減させ、封止領域２１の気圧を任意の大きさに調整することができる。なお、例えば封止領域２１が大気で満たされている場合、圧力を０．０１ａｔｍ変化させると、分光波長を０．５ＧＨｚ変化させることができる。
【００３５】
以上の構成を備える光信号処理装置１Ｂによれば、第１実施形態の光信号処理装置１Ａと同様に、封止領域２１の封止状態を解くことなく、封止領域２１の気圧の再調整や微調整を容易に行うことができる。また、体積変化機構２７が、内側筐体２２の外面（本変形例では上面２２ｂ）を内側筐体２２の内側へ向けて押し込む機構（例えばネジ２９）を含むことによって、封止領域２１の体積を、封止領域２１の外部から好適に変化させることができる。更に、はんだや溶接によって封じられた封止気体の注入口の封止状態を解く必要がないので、封止領域２１の気圧を極めて容易に調整することができる。更に、気圧調整毎の注入口の封止作業が必要ないので、気圧調整の回数を多くすることができる。
【００３６】
なお、本発明における体積変化機構は、第１実施形態の体積変化機構２４のように内側筐体２２の側面２２ａを押し込むものや、本変形例の体積変化機構２７のように内側筐体２２の上面２２ｂを押し込むものに限られない。光信号処理装置は、体積変化機構が内側筐体２２の任意の外面を押し込むことによって、上述した第１実施形態の効果を好適に奏することができる。
【００３７】
（第２の実施の形態）
図６（ａ）は、本発明の第２実施形態に係る光信号処理装置１Ｃの構成を示す斜視図である。図６（ｂ）は、図６（ａ）に示された光信号処理装置１ＣのVI−VI線に沿った側断面図である。本実施形態の光信号処理装置１Ｃは、第１実施形態の光信号処理装置１Ａと同様、複数の波長の光信号を多重化して送受信を行う光通信システムに用いられるＷＳＳやＲＯＡＤＭといった装置であって、互いに波長が異なる複数の信号成分を含む光信号を入力し、各信号成分を分離して出力する。図６（ａ）及び図６（ｂ）に示されるように、光信号処理装置１Ｃは、分光光学系１０と、分光光学系１０を収容する筐体３０とを備えている。なお、分光光学系１０の構成は第１実施形態と同様なので、詳細な説明を省略する。
【００３８】
筐体３０は、分光光学系１０を収容する封止領域３１を有する。封止領域３１は気密に封止されており、例えばクリプトン、ヘリウム又はアルゴンといった希ガス（不活性ガス）からなる封入気体が封入されている。封入気体としては、温度変化に対する体積変化が小さい気体が望ましい。
【００３９】
本実施形態の筐体３０は、封止領域３１を内部に含む外側筐体３３を有している。外側筐体３３は、その内部領域である封止領域３１を気密に封止するための密閉構造を有しており、例えば直方体状といった外形を呈している。更に、外側筐体３３は、分光光学系１０に対する外力を防ぐために高い機械的強度を有する。なお、外側筐体３３の構成材料や寸法は、第１実施形態の外側筐体２３と同様である。
【００４０】
また、筐体３０は、封止領域３１の内部の気圧を封止領域３１の外部から変化させる内圧変化機構３４を更に有する。本実施形態の内圧変化機構３４は、封止領域３１の体積を封止領域３１の外部から変化させる体積変化機構３４である。本実施形態の体積変化機構３４は、体積可変領域３５と、空気調整口３６とを含んでいる。体積可変領域３５は、外側筐体３３の内部において、封止領域３１とは別に画成された、封止領域３１から独立した領域である。例えば、体積可変領域３５は、容積が可変（伸縮可能）であり封止領域３１に対して密閉された容器３７によって画成されている。容器３７は、例えばゴム等の弾性膜から成る袋状の容器や、或いは側面が蛇腹により構成された容器によって好適に実現される。
【００４１】
空気調整口３６は、外側筐体３３の外面（本実施形態では側面３３ａ）から体積可変領域３５へ貫通して設けられている。空気調整口３６から体積可変領域３５へ気体が注入されることにより、体積可変領域３５の体積が変化し、その体積変化に応じて封止領域３１の体積が変化する。すなわち、体積可変領域３５の体積が増すと封止領域３１の体積が減じ、体積可変領域３５の体積が減ずると封止領域３１の体積が増す。したがって、体積可変領域３５への気体の注入量を調節することにより、封止領域３１の体積を任意の大きさに調整することができる。なお、空気調整口３６は、外側筐体３３の複数箇所（図では３箇所）に設けられることが好ましい。また、封止領域３１の体積が調整されたのち、空気調整口３６は、例えばはんだや溶接等によって封止されるとよい。
【００４２】
図７（ａ）〜図７（ｃ）は、光信号処理装置１Ｃの体積変化機構３４付近の部分を拡大して示す断面図であって、容器３７の容積（すなわち体積可変領域３５の体積）が変化する際の種々の変化量の例を示している。図７（ａ）は、容器３７が圧縮された（膨張していない）状態を表している。図７（ｂ）は、容器３７が僅かに伸張した（膨張した）状態を表している。図７（ｃ）は、容器３７が更に伸張した（膨張した）状態を表している。これらのように、体積変化機構３４では、体積可変領域３５への気体の注入量を任意に変化させることによって、体積可変領域３５の体積を増減し、ひいては封止領域３１の体積を増減して、封止領域３１の気圧を任意の大きさに調整することができる。
【００４３】
以上の構成を備える光信号処理装置１Ｃによって得られる効果について説明する。この光信号処理装置１Ｃでは、筐体３０が体積変化機構３４を有しており、体積変化機構３４は、分光光学系１０を収容する封止領域３１の体積を封止領域３１の外部から変化させる。これにより、封止領域３１の封止状態を解くことなく、封止領域２１の気圧の再調整や微調整を容易に行うことができる。
【００４４】
また、本実施形態のように、体積変化機構３４は、外側筐体３３の内部において封止領域３１とは別に画成された体積可変領域３５と、外側筐体３３の外面から体積可変領域３５へ貫通する空気調整口３６とを有し、図７に示されたように、空気調整口３６を通じて体積可変領域３５の体積を変化させることにより封止領域３１の体積を変化させてもよい。体積変化機構３４がこのような構成を有することによって、封止領域３１の体積を、封止領域３１の外部から好適に変化させることができる。
【００４５】
また、本実施形態のように、空気調整口３６は複数箇所に設けられていることが好ましい。空気調整口３６の封止が例えばはんだや溶接によって行われる場合、気圧調整のたびにはんだや溶接を繰り返すことで空気調整口３６の気密性が次第に低下するので、気圧の調整回数に制限が生じてしまう。これに対し、空気調整口３６が複数箇所に設けられることにより、上記の制限回数に空気調整口３６の数を乗じた回数だけ気圧の調整を行うことができるので、気圧調整の回数をより多くすることができる。
【００４６】
本発明による光信号処理装置は、上述した実施形態に限られるものではなく、他に様々な変形が可能である。例えば、上述した各実施形態では、体積変化機構の例として、内側筐体の外面を押し込む構造、及び封止領域とは別に画成された体積可変領域を筐体内部に設ける構造を示したが、本発明の光信号処理装置が備える体積変化機構はこれらに限られるものではない。体積変化機構としては、封止領域の体積を封止領域の外部から変化させ得るものであれば、他に様々な構造が適用され得る。
【符号の説明】
【００４７】
１Ａ，１Ｂ，１Ｃ…光信号処理装置、１０…分光光学系、１１…光ファイバ、１２…プリズム、１３…分光素子、１４…集光レンズ、１５…光偏向素子、１６…駆動回路、１７…制御部、２０Ａ，２０Ｂ，３０…筐体、２１，３１…封止領域、２２…内側筐体、２３，３３…外側筐体、２４，２７，３４…体積変化機構（内圧変化機構）、２５…ファイバフィードスルー、２６…電気フィードスルー、２８，２９…ネジ、３５…体積可変領域、３６…空気調整口、３７…容器、Ｌ１…光信号、Ｌ２…信号成分。
【図１】
2014071413.tif 000003
【図２】
2014071413.tif 000004
【図３】
2014071413.tif 000005
【図４】
2014071413.tif 000006
【図５】
2014071413.tif 000007
【図６】
2014071413.tif 000008
【図７】
2014071413.tif 000009